(57)【要約】【課題】ＤＶムービーからＤＶＤにダビングした時、最初に記録された日付以外の日付・時間情報が記録されない。【解決手段】ＤＶ方式の記録ストリームが入力されるＤＶ入力端子と、入力されたＤＶ方式の記録ストリームをデコードするＤＶデコーダと、ＤＶデコーダから出力されるサブコードを処理するサブコード処理手段と、サブコード処理手段から出力されたデータを記録するデータ記録手段とを有し、サブコードに記録された情報の記録を行う。【選択図】  図１
2005005851.tif 000002
【特許請求の範囲】
【請求項１】
ＤＶ方式の記録ストリームが入力されるＤＶ入力端子と、
入力されたＤＶ方式の記録ストリームをデコードし、映像・音声データとサブコードとを出力するＤＶデコーダと、
前記映像・音声データをＭＰＥＧエンコードするＭＰＥＧエンコーダと、
前記サブコードから所定のサブコードデータを抽出するサブコード処理手段と、
前記ＭＰＥＧエンコーダでエンコードされたデータと、前記サブコード処理手段で抽出されたサブコードデータとを関連付けて記録するデータ記録手段とを備えた映像信号記録装置。
【請求項２】
サブコード処理手段は、サブコードから日付・時間情報を抽出することを特徴とする請求項１記載の映像信号記録装置。
【請求項３】
サブコード処理手段で抽出された日付・時間情報の不連続点を検出し、前記不連続点の日付・時間情報をタイトルとしたプレイリストを作成するプレイリスト作成手段をさらに備え、
データ記録手段は、ＭＰＥＧエンコーダでエンコードされたデータと、前記プレイリストとを関連付けて記録することを特徴とする請求項２記載の映像信号記録装置。
【請求項４】
ＤＶ方式の記録ストリームが入力されるＤＶ入力端子と、
入力されたＤＶ方式の記録ストリームをデコードし、映像・音声データとサブコードとを出力するＤＶデコーダと、
前記映像・音声データをＭＰＥＧエンコードするＭＰＥＧエンコーダと、
前記サブコードから所定のサブコードデータを抽出するサブコード処理手段と、
前記サブコード処理手段で抽出されたサブコードデータを、字幕データとしてエンコードする字幕データエンコーダと、
前記ＭＰＥＧエンコーダでエンコードされたデータと、前記字幕データとを多重化するシステムエンコーダと、
前記システムエンコーダで多重化されたデータを記録するデータ記録手段とを備えた映像信号記録装置。
【請求項５】
ＤＶ方式の記録ストリームが入力されるＤＶ入力端子と、
入力されたＤＶ方式の記録ストリームをデコードし、映像・音声データとサブコードとを出力するＤＶデコーダと、
前記映像・音声データをＭＰＥＧエンコードするＭＰＥＧエンコーダと、
前記サブコードから日付・時間情報を抽出するサブコード処理手段と、
前記サブコード処理手段で抽出された日付・時間情報の不連続点を検出し、前記不連続点の日付・時間情報をタイトルとしたプログラムを作成するプログラム作成手段と、
前記ＭＰＥＧエンコーダでエンコードされたデータと、前記プログラムとを多重化するシステムエンコーダと、
前記システムエンコーダで多重化されたデータを記録するデータ記録手段とを備えた映像信号記録装置。
【発明の詳細な説明】
【０００１】
【発明の属する技術分野】
本発明は、映像記録装置に関するものである。
【０００２】
【従来の技術】
近年、撮像した画像をＭＰＥＧ２方式で符号化し、直接ＤＶＤに記録するディスクムービーが登場している。このようなディスクムービーにおいては、映像や音声情報に加えて、撮影した日時情報等が多重化されて記録される（例えば特許文献１参照）。
【０００３】
一方、ＤＶムービー（ＨＤデジタルＶＣＲ協議会の定める規定に準拠したデジタルビデオカメラ）からＤＶ端子を通してＭＰＥＧ２に変換して、ＤＶＤやＨＤＤにダビングする映像記録装置が増えている。ＤＶムービーには撮影した日時情報が記録されており、この日時情報に基づいて、ダビング時にプレイリストが自動的に作成されるＤＶＤレコーダも存在する（例えば非特許文献１参照）。以下、ＤＶムービーからＤＶＤレコーダへのダビング処理について説明する。なおＤＶＤレコーダはハードディスク一体型のものが主流になってきており、以下ＤＶＤレコーダと表記した場合、ハードディスク一体型ＤＶＤレコーダも含むものとする。
【０００４】
図５は、従来の映像記録装置を示すブロック図である。図５において、ＤＶムービー１０１からＤＶストリームがＤＶ端子から出力され、ＤＶＤレコーダ５０２のＤＶ端子に入力される。ＤＶデコーダ１０３では、入力されたＤＶストリームから映像・音声のデコード処理およびサブコードデータの分離を行う。デコードされた映像・音声は、ＭＰＥＧエンコーダ１０４で、ＭＰＥＧの映像・音声データにエンコードされる。サブコードデータは、サブコード処理１０５によって、日付・時間情報が抽出される。抽出された日付・時間情報は、プレイリスト作成処理５０７に入力される。プレイリスト作成処理５０７では、サブコード処理で最初に得られた日付をタイトルとした１つのプレイリストを作成する。また、サブコードデータの日付・時間情報が連続していない部分を検出し、プレイリストのシーンを作成する。ＭＰＥＧエンコーダ１０４から出力されたＭＰＥＧの映像・音声データは、システムエンコーダ１０８で多重化される。
【０００５】
システムエンコーダ１０８から出力された多重化ストリームおよびプレイリスト作成処理５０７から出力されるデータは、記録処理５０９をとおしてＤＶＤ−ＲＡＭやハードディスクに記録される。
【０００６】
【特許文献１】
特開平１１−１０３４４５号公報
【非特許文献１】
藤原陽祐，「ビデオサロン  ９月号」，玄光社，平成１４年９月１日発行，第４４巻第３号，通巻２６６号，Ｐ５４〜Ｐ６５“パナソニックＤＭＲ−ＨＳ２でＤＶ−ＤＶＤ編集を愉しむ！”
【０００７】
【発明が解決しようとする課題】
しかしながら、上述のような映像信号記録装置では、映像・音声のみのダビングであり、ＤＶテープに記録されている日付・時間情報については、ダビング開始時の日付情報が、プレイリストのタイトルとして登録されるだけであり、それ以外の情報は、欠落してしまっていた。子供の成長記録や長期間の旅行などをＤＶムービーで記録した場合には、１本のＤＶテープに複数の日にまたがった映像・音声が記録される場合が多い。このようなテープを上記の映像記録装置でダビングした時、
最初に記録された日付以外の情報が抜けてしまうことになるという課題を有していた。
【０００８】
本発明は、前記従来の課題を解決するもので、ＤＶストリームを別のフォーマットに変換する際、サブコードに記録された情報も記録される映像信号記録装置を提供することを目的とする。
【０００９】
【課題を解決するための手段】
前記従来の課題を解決するために、本発明の映像記録装置は、ＤＶ方式の記録ストリームが入力されるＤＶ入力端子と、入力されたＤＶ方式の記録ストリームをデコードし、映像・音声データとサブコードとを出力するＤＶデコーダと、映像・音声データをＭＰＥＧエンコードするＭＰＥＧエンコーダと、サブコードから所定のサブコードデータを抽出するサブコード処理手段と、ＭＰＥＧエンコーダでエンコードされたデータと、サブコード処理手段で抽出されたサブコードデータとを関連付けて記録するデータ記録手段とを備えている。
【００１０】
また本発明の映像記録装置は、サブコード処理手段は、サブコードから日付・時間情報を抽出する。
【００１１】
また本発明の映像記録装置は、サブコード処理手段で抽出された日付・時間情報の不連続点を検出し、不連続点の日付・時間情報をタイトルとしたプレイリストを作成するプレイリスト作成手段をさらに備え、データ記録手段は、ＭＰＥＧエンコーダでエンコードされたデータと、プレイリストとを関連付けて記録する。
【００１２】
また本発明の映像記録装置は、ＤＶ方式の記録ストリームが入力されるＤＶ入力端子と、入力されたＤＶ方式の記録ストリームをデコードし、映像・音声データとサブコードとを出力するＤＶデコーダと、映像・音声データをＭＰＥＧエンコードするＭＰＥＧエンコーダと、サブコードから所定のサブコードデータを抽出するサブコード処理手段と、サブコード処理手段で抽出されたサブコードデータを、字幕データとしてエンコードする字幕データエンコーダと、ＭＰＥＧエンコーダでエンコードされたデータと、字幕データとを多重化するシステムエンコーダと、システムエンコーダで多重化されたデータを記録するデータ記録手段とを備えている。
【００１３】
また本発明の映像記録装置は、ＤＶ方式の記録ストリームが入力されるＤＶ入力端子と、入力されたＤＶ方式の記録ストリームをデコードし、映像・音声データとサブコードとを出力するＤＶデコーダと、映像・音声データをＭＰＥＧエンコードするＭＰＥＧエンコーダと、サブコードから日付・時間情報を抽出するサブコード処理手段と、サブコード処理手段で抽出された日付・時間情報の不連続点を検出し、不連続点の日付・時間情報をタイトルとしたプログラムを作成するプログラム作成手段と、ＭＰＥＧエンコーダでエンコードされたデータと、プログラムとを多重化するシステムエンコーダと、システムエンコーダで多重化されたデータを記録するデータ記録手段とを備えている。
【００１４】
ＤＶ方式の記録ストリームが入力されるＤＶ入力端子と、入力されたＤＶ方式の記録ストリームをデコードするＤＶデコーダと、ＤＶデコーダから出力されるサブコードを処理するサブコード処理手段と、サブコード処理手段から出力されたデータを記録するデータ記録手段とを有し、サブコードに記録された情報の記録を行う。
【００１５】
【発明の実施の形態】
以下に、本発明の実施の形態について図面を参照しながら説明する。
【００１６】
（実施の形態１）
図１は、本発明の実施の形態１による映像記録装置を示すブロック図である。
【００１７】
図１において、ＤＶムービー１０１からＤＶストリームがＤＶ端子から出力され、ＤＶＤレコーダ１０２のＤＶ端子に入力される。ＤＶデコーダ１０３では、入力されたＤＶストリームから映像・音声のデコード処理およびサブコードデータの分離を行う。デコードされた映像・音声は、ＭＰＥＧエンコーダ１０４で、ＭＰＥＧの映像・音声データにエンコードされる。サブコードデータは、サブコード処理１０５によって日付・時間情報が抽出される。抽出された日付・時間情報は、複数のプレイリスト作成処理１０７に入力される。複数のプレイリスト作成処理１０７では、最初に得られた日付・時間情報をタイトルとしたプレイリストを作成する。また、サブコードデータの日付・時間情報が連続していない部分を検出し、連続していない日付・時間情報をタイトルとしたプレイリストを作成する。ＭＰＥＧエンコーダ１０４から出力されたＭＰＥＧの映像・音声データは、システムエンコーダ１０８で多重化される。システムエンコーダ１０８から出力された多重化ストリームおよび複数のプレイリスト作成処理１０７から出力されるデータは、記録処理１０９をとおしてＤＶＤ−ＲＡＭやハードディスクに記録される。
【００１８】
上記のようにサブコードデータから得られる日付・時間情報の連続していない部分を起点にプレイリストを作成し、タイトルに日付・時間情報を表示することにより、ユーザーは、プレイリストの一覧を見ることにより、撮影の日時を把握することができる。
【００１９】
また、上記のタイトルに入った情報と記録時間から現在再生されている映像の日付・時間を計算することは可能であり、またその情報をスーパーインポーズで表示させることも可能である。
【００２０】
ＤＶＤ−ＲＡＭのＤＶＤレコーディング規格では、プレイリストの数は、最大９９になっている。このため、撮影された時間が短いものが集まったものでは、上記の制限を超えてしまう可能性がある。
【００２１】
上記のような状態になるのを防ぐため、プレイリストの作成を日付ごとにする設定や、一定時間単位にするなどの設定を設けることにより、プレイリストの数が上限の数を超えることを防ぐことができる。また、上限を超えた場合に、仮のプレイリストの一覧を表示して、ユーザーに必要ないものを選択して消去させるなどの対応をとることにより、最大９９におさえることが可能である。
【００２２】
この実施例では、日付・時間情報のみになっているが、サブコードに記録されているものであれば、それを取得してプレイリストのタイトルに反映させることは可能である。サブコードに記録される情報としては、位置情報や天気情報、行事内容などが考えられ、これらがサブコードに記録されていればプレイリストのタイトルに表示させることが可能である。
【００２３】
（実施の形態２）
図２は、本発明の実施の形態２による映像記録装置を示すブロック図である。図１と同じ符号を有するものは同じ機能を有するので詳細な説明は省略する。
【００２４】
図２において、ＤＶムービー１０１からＤＶストリームがＤＶ端子から出力され、ＤＶＤレコーダ２０２のＤＶ端子に入力される。ＤＶデコーダ１０３では、入力されたＤＶストリームから映像・音声のデコード処理およびサブコードデータの分離を行う。デコードされた映像・音声は、ＭＰＥＧエンコーダ１０４で、ＭＰＥＧの映像・音声データにエンコードされる。サブコードデータは、サブコード処理１０５によって、日付・時間情報が抽出される。抽出された日付・時間情報は、字幕データエンコーダ２０６に入力される。字幕データエンコーダ２０６では、日付・時間情報を字幕データとしてエンコードする。ＭＰＥＧエンコーダ１０４から出力されたＭＰＥＧの映像・音声データと、字幕データエンコーダ２０６から出力された字幕データをシステムエンコーダ２０８で多重化される。システムエンコーダ２０８から出力された多重化ストリームは、記録処理２０９をとおしてＤＶＤ−ＲやＤＶＤ−ＲＡＭやハードディスクに記録される。
【００２５】
上記のように、サブコードに記録された日付・時間情報を字幕データとして記録することにより、再生中に字幕のＯＮ／ＯＦＦを行うことにより、撮影時間の表示が可能となる。この実施例では、日付・時間情報のみになっているが、サブコードに記録されているものであれば、それを取得して字幕データに反映させることは可能である。サブコードに記録される情報としては、位置情報や天気情報、行事内容などが考えられ、これらがサブコードに記録されていれば字幕データに表示させることが可能である。
【００２６】
ＤＶＤ−ＲＡＭのＤＶＤビデオレコーディング規格では、副映像データは１つだけであるが、ＤＶＤ−ＲのＤＶＤビデオ規格では、副映像データは最大３２であるため、日付のみの字幕データと日付・時間の字幕データなど複数の字幕エンコードを行えば、複数の表示が可能となる。
【００２７】
また、ＤＶＤ−ＲＡＭでは、実施の形態１と実施の形態２とを同時に行うことが可能である。
【００２８】
（実施の形態３）
図３は、本発明の実施の形態３による映像記録装置を示すブロック図である。図１と同じ符号を有するものは同じ機能を有するので詳細な説明は省略する。
【００２９】
図３において、ＤＶムービー１０１からＤＶストリームがＤＶ端子から出力され、ＢＤレコーダ３０２のＤＶ端子に入力される。なお、ＢＤレコーダと表記しているが、ハードディスク一体型や、ＤＶＤ一体型のものも含む。ＤＶデコーダ１０３では、入力されたＤＶストリームから映像・音声のデコード処理およびサブコードデータの分離を行う。デコードされた映像・音声は、ＭＰＥＧエンコーダ１０４で、ＭＰＥＧの映像・音声データにエンコードされる。サブコードデータは、サブコード処理１０５によって、日付・時間情報が抽出される。抽出された日付・時間情報は、複数のプレイリスト作成処理３０７に入力される。複数のプレイリスト作成処理３０７では、最初に得られた日付・時間情報をタイトルとしたプレイリストを作成する。また、サブコードデータの日付・時間情報が連続していない部分を検出し、連続していない日付・時間情報をタイトルとしたプレイリストを作成する。また、抽出された日付・時間情報は、字幕データエンコーダ３０６に入力される。字幕データエンコーダ３０６では、日付・時間情報を字幕データとしてエンコードする。ＭＰＥＧエンコーダ１０４から出力されたＭＰＥＧの映像・音声データと、字幕データエンコーダ３０６から出力された字幕データをシステムエンコーダ３０８で多重化される。システムエンコーダ３０８から出力された多重化ストリームおよび複数のプレイリスト作成処理３０７から出力されるデータは、記録処理３０９をとおしてＢＤやハードディスクに記録される。
【００３０】
上記のようにサブコードデータから得られる日付・時間情報の連続していない部分を起点にプレイリストを作成し、タイトルに日付・時間情報を表示することにより、ユーザーは、プレイリストの一覧を見ることにより、撮影の日時を把握することができる。
【００３１】
また、上記のタイトルに入った情報と記録時間から現在再生されている映像の日付・時間を計算することは可能であり、またその情報をスーパーインポーズで表示させることも可能である。また、サブコードに記録された日付・時間情報を字幕データとして記録することにより、再生中に字幕のＯＮ／ＯＦＦを行うことにより、撮影時間の表示が可能となる。
【００３２】
この実施例では、字幕データのエンコードと複数のプレイリストの作成処理を同時に行っているが、それぞれ単独で行うことも可能である。
【００３３】
また、実施の形態１、２と同様に日付・時間情報以外にもサブコードに記録されている情報であれば表示させることが可能である。
【００３４】
（実施の形態４）
図４は、本発明の実施の形態４による映像記録装置を示すブロック図である。図１と同じ符号を有するものは同じ機能を有するので詳細な説明は省略する。
【００３５】
図４において、ＤＶムービー１０１からＤＶストリームがＤＶ端子から出力され、ＭＰＥＧ４レコーダ４０２のＤＶ端子に入力される。ＭＰＥＧ４レコーダでは、記録メディアとして、ＳＤカードなどのメモリカード、ＤＶＤ−ＲＡＭ、ハードディスクなどが考えられる。ＤＶデコーダ１０３では、入力されたＤＶストリームから映像・音声のデコード処理およびサブコードデータの分離を行う。デコードされた映像・音声は、ＭＰＥＧ４エンコーダ４０４で、ＭＰＥＧ４の映像・音声データにエンコードされる。サブコードデータは、サブコード処理１０５によって、日付・時間情報が抽出される。抽出された日付・時間情報は、複数のプログラム作成処理４０７に入力される。複数のプログラム作成処理４０７では、最初に得られた日付・時間情報をタイトルとしたプログラムを作成する。また、サブコードデータの日付・時間情報が連続していない部分を検出し、連続していない日付・時間情報をタイトルとしたプログラムを作成する。ＭＰＥＧ４エンコーダ４０４から出力されたＭＰＥＧ４の映像・音声データは、複数のプログラム作成処理４０７の制御を受けてシステムエンコーダ４０８で多重化される。システムエンコーダ４０８から出力された多重化ストリームから出力されるデータは、記録処理４０９をとおしてＳＤカードやＤＶＤ−ＲＡＭやハードディスクに記録される。
【００３６】
上記のようにサブコードデータから得られる日付・時間情報の連続していない部分を起点にプログラムを作成し、タイトルに日付・時間情報を表示することにより、ユーザーは、プログラムの一覧を見ることにより、撮影の日時を把握することができる。
また、上記のタイトルに入った情報と記録時間から現在再生されている映像の日付・時間を計算することは可能であり、またその情報をスーパーインポーズで表示させることも可能である。
【００３７】
撮影された時間が短いものが集まったものでは、プログラムの数が増えすぎることがある。
【００３８】
上記のような状態になるのを防ぐため、プログラムの作成を日付ごとにする設定や、一定時間単位にするなどの設定を設けることにより、回避が可能になると思われる。また、上限を超えた場合に、仮のプログラムの一覧を表示して、ユーザーに必要ないものを選択して消去させるなどの対応をとることが可能である。
【００３９】
この実施例では、日付・時間情報のみになっているが、サブコードに記録されているものであれば、それを取得してプログラムのタイトルに反映させることは可能である。サブコードに記録される情報としては、位置情報や天気情報、行事内容などが考えられ、これらがサブコードに記録されていればプログラムのタイトルに表示させることが可能である。
【００４０】
また、この実施例では、ＭＰＥＧ４レコーダで説明したが、ＤＶＤ−ＲＡＭやＤＶＤ−Ｒ、ＢＤでも同様にプログラムごとに分割して表示させることが可能である。
【００４１】
【発明の効果】
以上説明したところから明らかなように、本発明は、ＤＶストリームをＤＶＤ−ＲＡＭのＤＶＤビデオレコーディング規格やＤＶＤ−ＲのＤＶＤビデオ規格などの別のフォーマットに変換してダビングする際、ＤＶ端子を使用して、サブコード情報を読み込み、日付・時間情報などのサブコードに記録されたデータをプレイリストのタイトル情報や字幕情報に変換することにより、ユーザーの手をわずらわせずに自動的に記録することができる。
【図面の簡単な説明】
【図１】本発明の実施の形態１における映像記録装置を示す図
【図２】本発明の実施の形態２における映像記録装置を示す図
【図３】本発明の実施の形態３における映像記録装置を示す図
【図４】本発明の実施の形態４における映像記録装置を示す図
【図５】従来の映像記録装置を示す図
【符号の説明】
１０１  ＤＶムービー
１０２  ＤＶＤデコーダ
１０３  ＤＶデコーダ
１０４  ＭＰＥＧ４エンコーダ
１０５  サブコード処理
１０７  複数のプレイリスト作成処理
１０８  システムエンコーダ
１０９  記録処理
２０２  ＤＶＤレコーダ
２０６  字幕データエンコーダ
２０８  システムエンコーダ
２０９  記録処理
３０２  ＢＤレコーダ
３０６  字幕データエンコーダ
３０７  複数のプレイリスト作成処理
３０８  システムエンコーダ
３０９  記録処理
４０２  ＭＰＥＧ４エンコーダ
４０７  複数のプログラム作成処理
４０８  システムエンコーダ
４０９  記録処理
５０２  ＤＶＤレコーダ
５０７  プレイリスト作成処理
５０９  記録処理
【図１】
2005005851.tif 000003
【図２】
2005005851.tif 000004
【図３】
2005005851.tif 000005
【図４】
2005005851.tif 000006
【図５】
2005005851.tif 000007